(57)【要約】【課題】意匠性が高く、空間に開放感を与え、透過光による演出効果も有する装飾用光透過性フィルム、光透過性装飾材および照明器具を提供する。【解決手段】透明基材の表面に貼着される装飾用光透過性フィルム１０であって、複数の凸条１２（およびまたは凹条）が平行に形成された、光透過性を有する領域Ａ〜Ｃを複数有し、隣り合う領域で凸条１２（およびまたは凹条）の方向がそれぞれ異なる装飾用光透過性フィルム１０。【選択図】図１
2011225772.tif 000002
【特許請求の範囲】
【請求項１】
透明基材の表面に貼着される装飾用光透過性フィルムであって、
複数の凸条およびまたは凹条が平行に形成された、光透過性を有する領域を複数有し、隣り合う領域で凸条およびまたは凹条の方向がそれぞれ異なる、装飾用光透過性フィルム。
【請求項２】
凸条およびまたは凹条の方向が同じ領域からなるグループの数が、２〜１２である、請求項１に記載の装飾用光透過性フィルム。
【請求項３】
透明基材と、該透明基材の表面に貼着された請求項１または２に記載の装飾用光透過性フィルムとを有する、光透過性装飾材。
【請求項４】
請求項３に記載の光透過性装飾材と、１つ以上の点光源とを具備する、照明器具。
【発明の詳細な説明】
【技術分野】
【０００１】
本発明は、透明基材の表面に貼着される装飾用光透過性フィルム、該フィルムが透明基材の表面に貼着された光透過性装飾材および該装飾材を用いた照明器具に関する。
【背景技術】
【０００２】
ガラス等の透明基材に装飾性を付与するために、透明基材の表面に装飾用フィルムを貼着したり、透明基材の表面に転写箔を転写したりすることが行われる。
装飾用フィルムとしては、例えば、下記のものが提案されている。
（１）多数の凹凸条からなるエンボスが設けられ、幅方向に一方から他方にかけて凹凸条のピッチおよび／または振幅がしだいに変化したガラス装飾用粘着フィルム（特許文献１）。
また、透明基材の表面に転写箔を転写した装飾材としては、例えば、下記のものが提案されている。
（２）エンボス層、隠蔽層、接着層を順次積層した構成で、該エンボス層に隣り合う単位模様の条模様の向きが異なるように複数の単位模様を組み合わせてなる凸模様を設けた転写箔を用いて、透明基材上に、周囲に透明部を存在させて多数の微細パターンを形成した装飾材（特許文献２）。
【０００３】
しかし、（１）のガラス装飾用粘着フィルムは、凹凸条のピッチおよび／または振幅の変化に応じて明るさが単純に変化するだけであり、意匠性に欠けるものである。
（２）の装飾材は、条模様の向きが異なるように複数の単位模様を組み合わせているため、意匠性は（１）のフィルムより高い。しかし、表裏面の絵柄を異ならせるために凸模様部に隠蔽層を設けているため、全体的に光透過性に乏しく、装飾材を設置している空間に閉塞感を与え、また、透過光による演出効果にも欠ける。
【先行技術文献】
【特許文献】
【０００４】
【特許文献１】特開平０９−２２１６４１号公報
【特許文献２】特開平０６−２８６３９５号公報
【発明の概要】
【発明が解決しようとする課題】
【０００５】
本発明は、意匠性が高く、空間に開放感を与え、透過光による演出効果も有する装飾用光透過性フィルム、光透過性装飾材および照明器具を提供する。
【課題を解決するための手段】
【０００６】
本発明の装飾用光透過性フィルムは、透明基材の表面に貼着される装飾用光透過性フィルムであって、複数の凸条およびまたは凹条が平行に形成された、光透過性を有する領域を複数有し、隣り合う領域で凸条およびまたは凹条の方向がそれぞれ異なることを特徴とする。
【０００７】
凸条およびまたは凹条の方向が同じ領域からなるグループの数は、２〜１２であることが好ましい。
本発明の光透過性装飾材は、透明基材と、該透明基材の表面に貼着された本発明の装飾用光透過性フィルムとを有することを特徴とする。
本発明の照明器具は、本発明の光透過性装飾材と、１つ以上の点光源とを具備することを特徴とする。
【発明の効果】
【０００８】
本発明の装飾用光透過性フィルム、光透過性装飾材および照明器具は、意匠性が高く、空間に開放感を与え、透過光による演出効果も有する。
【図面の簡単な説明】
【０００９】
【図１】本発明の装飾用光透過性フィルムの第１の実施形態を示す平面図である。
【図２】第１の実施形態の装飾用光透過性フィルムにおいて現れる光条の様子を示す模式図である。
【図３】本発明の装飾用光透過性フィルムの第２の実施形態を示す平面図である。
【図４】第２の実施形態の装飾用光透過性フィルムにおいて現れる光条の様子を示す模式図である。
【図５】本発明の装飾用光透過性フィルムの第３の実施形態を示す平面図である。
【図６】第３の実施形態の装飾用光透過性フィルムにおいて現れる光条の様子を示す模式図である。
【発明を実施するための形態】
【００１０】
＜装飾用光透過性フィルム＞
本発明の装飾用光透過性フィルムは、透明基材の表面に貼着される装飾用光透過性フィルムであって、複数の凸条およびまたは凹条が平行に形成された、光透過性を有する領域を複数有し、隣り合う領域で凸条およびまたは凹条の方向がそれぞれ異なることを特徴とする。なお、隣り合う領域で凸条およびまたは凹条の方向が同じ場合、本発明においては、これら隣り合う２つの領域を１つの領域とみなす。
【００１１】
隣り合う領域で凸条およびまたは凹条の方向がそれぞれ異なることによって、凸条およびまたは凹条の方向が装飾用光透過性フィルム上に２種以上存在することになるため、装飾用光透過性フィルムの裏面側に点光源を配置し、装飾用光透過性フィルムの表面側から点光源を見た場合、点光源を中心にして、ここから放射状に延びる、凸条およびまたは凹条の方向の種類の数に対応した複数の光条（十字形、星形等）が現れる。以下、複数の光条が現れる効果を、光条効果と記す。
【００１２】
凸条およびまたは凹条の方向が同じ領域を１つのグループとすると、該グループの数は、２〜１２が好ましく、２〜８がより好ましい。隣り合う領域で凸条およびまたは凹条の方向がそれぞれ異なるようにするためには、該グループの数は最低でも２つ必要である。該グループの数が１２を超えると、隣接する光条間の角度が小さくなり、光条をはっきりと認識しにくくなる。
【００１３】
各グループ間での凸条およびまたは凹条の方向の角度差の最小値は、１０度以上が好ましく、１５度以上がより好ましい。角度差の最小値が１０度未満では、隣接する光条が重なって見える場合がある。
【００１４】
各領域の面積は、０．１〜５００ｍｍ２が好ましく、１〜３００ｍｍ２がより好ましい。領域の面積が０．１ｍｍ２以上であれば、光条が明確に現れる。領域の面積が５００ｍｍ２以下であれば、光条効果が現れやすくなる。
【００１５】
凸条間（または凹条間）の間隔は、０．１〜２００μｍが好ましく、１〜１００μｍがより好ましい。凸条間（または凹条間）の間隔が０．１μｍ以上であれば、凸条（または凹条）の成形において欠陥が発生しにくい。凸条間（または凹条間）の間隔が２００μｍ以下であれば、光条が明確に現れる。
【００１６】
凸条（または凹条）と平坦部の幅の比は、４：１〜１：３が好ましく、３：１〜１：２がより好ましい。凸条（または凹条）と平坦部の幅の比が該範囲内であれば、透光率を十分確保でき、かつ、目隠し効果を付与することが可能である。
【００１７】
凸条の高さ（または凹条の深さ）は、凸条（または凹条）の幅とほぼ同程度であることが好ましい。凸条の高さ（または凹条の深さ）が凸条（または凹条）の幅とほぼ同程度であれば、凸条（または凹条）成形において欠陥が発生しにくい。
【００１８】
凸条およびまたは凹条の形成方法としては、凸条およびまたは凹条に対応した凹条およびまたは凸条が表面に形成された精密エンボス版（特開平０５−０２７４０８号公報等参照）を用い、ベースフィルムの表面をエンボス加工する方法；凸条に対応した凹条が表面に形成されたグラビア印刷版を用い、透明インキからなる凸条をベースフィルムの表面に形成する方法；インクジェット印刷機により透明インキからなる凸条をベースフィルムの表面に形成する方法；電離放射線硬化樹脂からなる凸条をベースフィルムの表面に形成した後、紫外線、電子線等の電離放射線を照射して硬化させる方法；別にあらかじめ形成した凸条を熱転写によりベースフィルムの表面に形成する方法等が挙げられる。
【００１９】
ベースフィルムの材料としては、光透過性の高い材料が好ましく、ポリエステル（ポリエチレンテレフタレート等）、ポリオレフィン（ポリプロピレン等）、アクリル樹脂（ポリメチルメタクリレート等）、塩化ビニル樹脂、フッ素樹脂等が挙げられる。
ベースフィルムの厚さは、通常、５０〜２００μｍである。
【００２０】
装飾用光透過性フィルムは、凸条およびまたは凹条が形成された面とは反対側に、粘着剤層を有していてもよい。
粘着剤としては、アクリル系重合体と粘着付与剤とを含むアクリル系粘着剤が挙げられる。アクリル系重合体を構成する単量体としては、（メタ）アクリル酸メチル、（メタ）アクリル酸エチル、（メタ）アクリル酸ｎ−プロピル、（メタ）アクリル酸ブチル等が挙げられる。粘着付与剤としては、ロジン系、テルペン系、フェノール系、クマロン系等の粘着付与剤が挙げられる。
【００２１】
装飾用光透過性フィルムは、透明性を損なわない範囲で、全体的にまたは部分的に印刷が施されていてもよく、また着色剤を配合した有色フィルムであってもよい。
【００２２】
（第１の実施形態）
図１は、本発明の装飾用光透過性フィルムの第１の実施形態を示す平面図である。
装飾用光透過性フィルム１０は、複数の凸条１２が平行に形成された、光透過性を有する領域を有し、隣り合う領域で凸条１２の方向がそれぞれ異なる。
【００２３】
第１の実施形態においては、凸条１２の方向が同じ領域からなるグループの数は３つである。
第１のグループに属する領域Ａにおける凸条１２の方向を０度としたとき、第２のグループに属する領域Ｂにおける凸条１２の方向は、時計回りの方向に６０度であり、第３のグループに属する領域Ｃにおける凸条１２の方向は、反時計回りの方向に６０度である。
【００２４】
第１の実施形態においては、装飾用光透過性フィルム１０の裏面側に点光源を配置し、装飾用光透過性フィルム１０の表面側から点光源を見た場合、図２に示すような、点光源を中心にしてここから放射状に延びる６本の光条が現れる。隣接する光条間の角度は、それぞれや約６０度となる。
【００２５】
（第２の実施形態）
図３は、本発明の装飾用光透過性フィルムの第２の実施形態を示す平面図である。
なお、第２の実施形態において、第１の実施形態と同じ構成については図１と同じ符号を付して説明を省略する。
【００２６】
第２の実施形態においては、凸条１２の方向が同じ領域からなるグループの数は４つである。
第１のグループに属する領域Ａにおける凸条１２の方向を０度としたとき、第２のグループに属する領域Ｂにおける凸条１２の方向は、時計回りの方向に４５度であり、第３のグループに属する領域Ｃにおける凸条１２の方向は、反時計回りの方向に４５度であり、第４のグループに属する領域Ｄにおける凸条１２の方向は、９０度である。
【００２７】
第２の実施形態においては、装飾用光透過性フィルム１０の裏面側に点光源を配置し、装飾用光透過性フィルム１０の表面側から点光源を見た場合、図４に示すような、点光源を中心にしてここから放射状に延びる８本の光条が現れる。隣接する光条間の角度は、それぞれ約４５度となる。
【００２８】
（第３の実施形態）
図５は、本発明の装飾用光透過性フィルムの第３の実施形態を示す平面図である。
なお、第３の実施形態において、第１の実施形態と同じ構成については図１と同じ符号を付して説明を省略する。
【００２９】
第３の実施形態においては、凸条１２の方向が同じ領域からなるグループの数は６つである。
第１のグループに属する領域Ａにおける凸条１２の方向を０度としたとき、第２のグループに属する領域Ｂにおける凸条１２の方向は、時計回りの方向に３０度であり、第３のグループに属する領域Ｃにおける凸条１２の方向は、反時計回りの方向に３０度であり、第４のグループに属する領域Ｄにおける凸条１２の方向は、時計回りの方向に６０度であり、第５のグループに属する領域Ｅにおける凸条１２の方向は、反時計回りの方向に６０度であり、第６のグループに属する領域Ｆにおける凸条１２の方向は、９０度である。
【００３０】
第３の実施形態においては、装飾用光透過性フィルム１０の裏面側に点光源を配置し、装飾用光透過性フィルム１０の表面側から点光源を見た場合、図６に示すような、点光源を中心にしてここから放射状に延びる１２本の光条が現れる。隣接する光条間の角度は、それぞれ約３０度となる。
【００３１】
なお、本発明の装飾用光透過性フィルムは、第３の実施形態に示すように、各領域間に凸条およびまたは凹条が形成されていない間隙を有していてもよい。各領域間に凸条およびまたは凹条が形成されていない間隙を形成することにより、各領域の形状がよりはっきりと浮かび上がり、装飾用光透過性フィルムの意匠性が向上する。
【００３２】
以上説明した本発明の装飾用光透過性フィルムにあっては、複数の凸条およびまたは凹条が平行に形成された、光透過性を有する領域を複数有し、隣り合う領域で凸条およびまたは凹条の方向がそれぞれ異なるため、領域ごとに光の反射や光の透過の具合が異なる。そのため、光の入射角によって、領域ごとのさまざまな形状が浮かび上がったり、領域ごとに濃淡が現れたりするため、意匠性が高い。
また、凸条およびまたは凹条が形成された領域が光透過性を有しているため、フィルムの向こう側が透けて見え、空間に明るい開放感を与えることができる。
また、上述したような光条効果が現れるため、透過光による幻想的な空間の演出も可能である。
【００３３】
＜装飾材＞
本発明の光透過性装飾材は、透明基材と、該透明基材の表面に貼着された本発明の装飾用光透過性フィルムとを有することを特徴とする。
【００３４】
透明基材の材料としては、ガラス、ポリカーボネート、アクリル樹脂、塩化ビニル樹脂、ポリエチレンテレフタレート等が挙げられる。
透明基材は、既設のものであってもよい。既設の透明基材としては、窓ガラス、ショウウインドウ、ショーケースのガラス、透明パーティション、照明器具の前面カバー等が挙げられる。
【００３５】
以上説明した本発明の光透過性装飾材にあっては、透明基材の表面に本発明の装飾用光透過性フィルムを貼着しているため、意匠性が高く、空間に開放感を与え、透過光による演出効果（光条効果）も有する。
【００３６】
＜照明器具＞
本発明の照明器具は、本発明の光透過性装飾材と、１つ以上の点光源とを具備するからなることを特徴とする。
【００３７】
点光源としては、白熱電球、ハロゲンランプ、ＨＩＤランプ、キセノンランプ、ＬＥＤ（発光ダイオード）等が挙げられる。消費電力に対する発光効率が高く、かつ、発熱量が比較的小さい点から、ＬＥＤが好ましい。
【００３８】
本発明の照明器具においては、点光源から放出された光が本発明の光透過性装飾材を介することによって、点光源を中心にしてここから放射状に延びる光条が現れる。
点光源の数は、照明器具の用途と大きさにより、１つでもあってもよく、２つ以上であってもよい。また、照明器具が、例えば壁面等の大面積にわたるものであれば、透明基材の表面の点光源を覆う部分のみに光条効果を発現する本発明の装飾用光透過性フィルムを設けてもよいし、光条効果を発現する凸条（または凹条）を装飾用光透過性フィルムの一部に設け、対応する部分に点光源を設置してもよい。
【実施例】
【００３９】
（実施例１）
ベースフィルムとして、厚さ１００μｍの塩化ビニル樹脂フィルムを用意した。
精密エンボス版として、図１に示すような、複数の凸条が平行に形成された複数の領域に対応した、複数の凹条が平行に形成された複数の領域を有する精密エンボス版を用意した。
【００４０】
１００℃に加熱された精密エンボス版を、ベースフィルムの表面に０．３ＭＰａの圧力で押し付け、ベースフィルムの表面にエンボス加工を施し、図１に示すような、複数の凸条（幅：５０μｍ、高さ：５０μｍ、間隔：１００μｍ）が平行に形成された、光透過性を有する領域Ａ〜Ｃを複数有し、隣り合う領域で凸条の方向がそれぞれ異なる装飾用光透過性フィルム（各領域の面積：１〜２００ｍｍ２）を得た。
【００４１】
装飾用光透過性フィルムの裏面側にライターの炎を配置し、装飾用光透過性フィルムの表面側から炎を見たところ、図２に示すような、炎を中心にしてここから放射状に延びる６本の光条が確認された。
【００４２】
（実施例２）
精密エンボス版として、図３に示すような、複数の凸条が平行に形成された複数の領域に対応した、複数の凹条が平行に形成された複数の領域を有する精密エンボス版を用意した。
【００４３】
１００℃に加熱された精密エンボス版を、実施例１と同じベースフィルムの表面に０．３ＭＰａの圧力で押し付け、ベースフィルムの表面にエンボス加工を施し、図３に示すような、複数の凸条（幅：５０μｍ、高さ：５０μｍ、間隔：１００μｍ）が平行に形成された、光透過性を有する領域Ａ〜Ｄを複数有し、隣り合う領域で凸条の方向がそれぞれ異なる装飾用光透過性フィルム（各領域の面積：６ｍｍ２）を得た。
【００４４】
装飾用光透過性フィルムの裏面側にライターの炎を配置し、装飾用光透過性フィルムの表面側から炎を見たところ、図４に示すような、炎を中心にしてここから放射状に延びる８本の光条が確認された。
【００４５】
（実施例３）
精密エンボス版として、図５に示すような、複数の凸条が平行に形成された複数の領域に対応した、複数の凹条が平行に形成された複数の領域を有する精密エンボス版を用意した。
【００４６】
１００℃に加熱された精密エンボス版を、実施例１と同じベースフィルムの表面に０．３ＭＰａの圧力で押し付け、ベースフィルムの表面にエンボス加工を施し、図５に示すような、複数の凸条（幅：５０μｍ、高さ：５０μｍ、間隔：７０μｍ）が平行に形成された、光透過性を有する領域Ａ〜Ｆを複数有し、隣り合う領域で凸条の方向がそれぞれ異なる装飾用光透過性フィルム（各領域の面積：１〜５０ｍｍ２）を得た。
【００４７】
装飾用光透過性フィルムの裏面側にライターの炎を配置し、装飾用光透過性フィルムの表面側から炎を見たところ、図６に示すような、炎を中心にしてここから放射状に延びる１２本の光条が確認された。
【産業上の利用可能性】
【００４８】
本発明の装飾用光透過性フィルムは、ガラス等の透明基材に装飾性を付与するフィルムとして有用である。
【符号の説明】
【００４９】
１０  装飾用光透過性フィルム
１２  凸条
Ａ〜Ｆ  領域
【図２】
2011225772.tif 000003
【図４】
2011225772.tif 000004
【図６】
2011225772.tif 000005
【図１】
2011225772.tif 000006
【図３】
2011225772.tif 000007
【図５】
2011225772.tif 000008